(57)【要約】        【課題】  例えばスロットマシンやパチンコ機等の遊技機の固定装置に関し、遊技機を横一列に並べた状態で複数台設置可能な島設備に固定される金属製のキャビネットに対しフックを固定し、これに引っ掛かるラッチ装置を用いて、遊技機の金属製のハウジングをワンタッチで着脱可能に固定することができるようにしたものである。        【解決手段】  遊技機（例えばスロットマシン100）の固定装置(300)には、キャビネット(200)の内面に固定されるフック(310)、ハウジング(400)に形成され、フック(310)をハウジング(400)の内部に露出させるための開口部(320)、ハウジング(400)の内部に固定され、開口部(320)を露出するフック(310)に引っ掛かる着脱可能な掛け金(331)を有するラッチ装置(330)を備える。    【選択図】    図１
2008237385.tif 000002
【特許請求の範囲】
【請求項１】
ホール内に設置され、遊技機を横一列に並べた状態で複数台設置可能な島設備に固定される金属製のキャビネットと、
前記キャビネット内に固定される前記遊技機の金属製のハウジングとを前提として、
前記キャビネットに前記ハウジングを着脱可能に固定するための遊技機の固定装置であって、
前記固定装置には、
前記キャビネットの内面に固定されるフックと、
前記ハウジングに形成され、前記フックを前記ハウジングの内部に露出させるための開口部と、
前記ハウジングの内部に固定され、前記開口部を露出する前記フックに引っ掛かる着脱可能な掛け金を有するラッチ装置とを備えていることを特徴とする遊技機の固定装置。
【請求項２】
請求項１に記載の遊技機の固定装置であって、
前記ラッチ装置には、
前記ハウジングの内部に固定される台座と、
前記台座に一端部が回転可能に回転可能に取り付けられ、長さの途中に前記掛け金が連結され、他端部である自由端部を前記台座から離れる方向に回転させた解錠位置において、前記フックに対する前記掛け金の係脱が可能となり、
前記解錠位置から自由端部を前記台座に接近する方向に回転させた施錠位置において、前記フックに対する前記掛け金の係脱が不能可能となる操作レバーとを備えていることを特徴とする遊技機の固定装置。
【請求項３】
請求項１に記載の遊技機の固定装置であって、
前記ラッチ装置には、
前記操作レバーと前記掛け金との間に位置し、前記掛け金を前記フックに弾性的に係合させるためのバネを備えていることを特徴とする遊技機の固定装置。
【請求項４】
請求項１〜３のいずれか１項に記載の遊技機の固定装置であって、
前記キャビネットの上面には、
上下方向に開放する開放部を設け、
前記開放部には、
止着部材が貫通可能な固定部材を固定していることを特徴とする遊技機の固定装置。
【請求項５】
請求項４に記載の遊技機の固定装置であって、
前記固定部材は、
木製或いは合成樹脂製の板材から形成されていることを特徴とする遊技機の固定装置。
【請求項６】
請求項１〜５のいずれか１項に記載の遊技機の固定装置であって、
前記フックは、
前記キャビネットの底壁の上面と、上壁の下面とにそれぞれ固定され、
前記ラッチ装置は、
前記キャビネットの前記上面と前記下面とにそれぞれ固定された複数個の前記フックにそれぞれ対応し、前記ハウジングの底壁の上面と、上壁の下面とにそれぞれ固定されていることを特徴とする遊技機の固定装置。
【請求項７】
請求項６に記載の遊技機の固定装置であって、
前記フックは、
前記キャビネットの前記固定部材に固定されていることを特徴とする遊技機の固定装置。
【発明の詳細な説明】
【技術分野】
【０００１】
この発明は、例えばスロットマシンやパチンコ機等の遊技機の固定装置に関し、遊技機を横一列に並べた状態で複数台設置可能な島設備に固定される金属製のキャビネットに対しフックを固定し、これに引っ掛かるラッチ装置を用いて、遊技機の金属製のハウジングをワンタッチで着脱可能に固定することができるようにしたものである。
【背景技術】
【０００２】
従来、キャビネット側のストッパーと、当該ストッパーがはまり込むパチンコ機側の位置決め用の凹部との係合により、パチンコ機をキャビネットに対して固定する固定装置が知られている（例えば特許文献１の段落番号「００３３」〜「００３７」、図２参照）。
上記したストッパーは、キャビネットの内側面に、ピンにより回転可能に取り付けら、バネにより弾性的に突出している（例えば特許文献１の段落番号「００３４」、図２参照）。
【０００３】
上記した凹部は、パチンコ機の側面から「箱溝状」、すなわちボックス形に凹んでいる（例えば特許文献１の段落番号「００３４」、図２参照）。
【特許文献１】特開平11-19322号公報（段落番号「００３３」〜「００３７」、図２）
【発明の開示】
【発明が解決しようとする課題】
【０００４】
しかし、上記した従来の固定装置では、キャビネット側のストッパーの構造が複雑であるばかりでなく、パチンコ機側の凹部がボックス形に凹んでいるため、凹部にストッパーが一旦、はまり込んでしまうと、ストッパーが外れなくなり、キャビネットからのパチンコ機の取り外しが極めて困難となるか、或いは不能となってしまうという問題点があった。
【０００５】
そこで、各請求項にそれぞれ記載された各発明は、上記した従来の技術の有する問題点に鑑みてなされたものであり、その目的とするところは、次の点にある。
（請求項１）
請求項１に記載の発明は、次の点を目的とする。
すなわち、請求項１に記載の発明は、遊技機を横一列に並べた状態で複数台設置可能な島設備に固定される金属製のキャビネットに対しフックを固定し、これに引っ掛かるラッチ装置を用いて、遊技機の金属製のハウジングをワンタッチで着脱可能に固定することができるようにしたものである。
【０００６】
請求項１に記載の発明のフックは、上記した従来の固定装置のストッパーに比較して、可動要素が必要なく、構造が簡便であるばかりでなく、キャビネットへの取り付けも簡単に且つ迅速に行える利点がある。
また、請求項１に記載の発明のラッチ装置は、フックに掛け金で引っ掛かっているだけなので、フックから掛け金を外すことで、遊技機を簡単に且つ迅速に取り外すことができるという利点がある。
（請求項２）
請求項２に記載の発明は、上記した請求項１に記載の発明の目的に加え、次の点を目的とする。
【０００７】
すなわち、請求項２に記載の発明は、ラッチ装置の操作レバーを回転させることで、掛け金をフックに対し、簡単に且つ迅速に着脱することができるようにしたものである。
（請求項３）
請求項３に記載の発明は、上記した請求項１に記載の発明の目的に加え、次の点を目的とする。
【０００８】
すなわち、請求項３に記載の発明は、ラッチ装置の掛け金をフックに弾性的に係合させることで、掛け金がフックから不用意に外れるのを未然に防止することができるばかりでなく、キャビネットに対する遊技機のハウジングの取付後のガタ付きを未然に防止することができるようにしたものである。
（請求項４）
請求項４に記載の発明は、上記した請求項１〜３のいずれか１項に記載の発明の目的に加え、次の点を目的とする。
【０００９】
すなわち、請求項４に記載の発明は、釘等の止着部材を用いて、金属製のキャビネットを島設備を簡単に、且つ迅速に固定することができるようにしたものである。
（請求項５）
請求項５に記載の発明は、上記した請求項４に記載の発明の目的に加え、次の点を目的とする。
【００１０】
すなわち、請求項５に記載の発明は、金属に比較して加工が簡単な木製或いは合成樹脂製の板材から固定部材を形成することができるようにしたものである。
（請求項６）
請求項６に記載の発明は、上記した請求項１〜５のいずれか１項に記載の発明の目的に加え、次の点を目的とする。
【００１１】
すなわち、請求項６に記載の発明は、遊技機のハウジングの上下を、キャビネットに固定することで、ハウジングの固定強度を向上することができるようにしたものである。
（請求項７）
請求項７に記載の発明は、上記した請求項６に記載の発明の目的に加え、次の点を目的とする。
【００１２】
すなわち、請求項７に記載の発明は、金属製のキャビネットにフックを固定する場合に比較して、固定部材にフックを簡便に固定することができるようにしたものである。
【課題を解決するための手段】
【００１３】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１４】
第１に、遊技機（例えばスロットマシン100）の固定装置(300)は、例えば図５に示すように、次の構成を前提とする。
（１）キャビネット(200)
キャビネット(200)は、金属製であり、図示しないが、ホール内に設置され、遊技機（例えばスロットマシン100）を横一列に並べた状態で複数台設置可能な島設備に固定されるものである。
【００１５】
（２）遊技機（例えばスロットマシン100）のハウジング(400)
遊技機（例えばスロットマシン100）のハウジング(400)は、金属製であり、キャビネット(200)内に固定されるものである。
第２に、遊技機（例えばスロットマシン100）の固定装置(300)は、例えば図１に示すように、キャビネット(200)にハウジング(400)を着脱可能に固定するためのものである。
【００１６】
第３に、固定装置(300)には、例えば図１に示すように、次の構成を備える。
（３）フック(310)
フック(310)は、キャビネット(200)の内面に固定されるものである。
（４）開口部(320)
開口部(320)は、ハウジング(400)に形成され、フック(310)をハウジング(400)の内部に露出させるためのものである。
【００１７】
（５）ラッチ装置(330)
ラッチ装置(330)は、ハウジング(400)の内部に固定され、開口部(320)を露出するフック(310)に引っ掛かる着脱可能な掛け金(331)を有するものである。
（請求項２）
請求項２に記載の発明は、上記した請求項１に記載の発明の特徴点に加え、次の点を特徴とする。
【００１８】
すなわち、ラッチ装置(330)には、例えば図１に示すように、次の構成を備える。
（１）台座(332)
台座(332)は、ハウジング(400)の内部に固定されるものである。
（２）操作レバー(333)
操作レバー(333)は、台座(332)に一端部が回転可能に回転可能に取り付けられ、長さの途中に掛け金(331)が連結され、他端部である自由端部を台座(332)から離れる方向に回転させた解錠位置（例えば図９参照）において、フック(310)に対する掛け金(331)の係脱が可能となり、解錠位置（例えば図１０参照）から自由端部を台座(332)に接近する方向に回転させた施錠位置において、フック(310)に対する掛け金(331)の係脱が不能可能となるものである。
（請求項３）
請求項３に記載の発明は、上記した請求項１に記載の発明の特徴点に加え、次の点を特徴とする。
【００１９】
すなわち、ラッチ装置(330)には、例えば図１に示すように、次の構成を備える。
（１）バネ(334)
バネ(334)は、操作レバー(333)と掛け金(331)との間に位置し、掛け金(331)をフック(310)に弾性的に係合させるためのものである。
（請求項４）
請求項４に記載の発明は、上記した請求項１〜３のいずれか１項に記載の発明の特徴点に加え、次の点を特徴とする。
【００２０】
第１に、キャビネット(200)の上面には、図示しないが、上下方向に開放する開放部を設ける。
第２に、開放部には、例えば図５に示すように、例えば釘等の止着部材（図示せず）が貫通可能な固定部材（例えば上壁230）を固定している。
なお、止着部材として、釘を例示したが、これに限定されず、図示しないが、木ネジ等のネジを使用しても良い。
（請求項５）
請求項５に記載の発明は、上記した請求項４に記載の発明の特徴点に加え、次の点を特徴とする。
【００２１】
すなわち、固定部材（例えば上壁230）は、木製或いは合成樹脂製の板材から形成されている。
（請求項６）
請求項６に記載の発明は、上記した請求項１〜５のいずれか１項に記載の発明の特徴点に加え、次の点を特徴とする。
【００２２】
第１に、フック(310)は、例えば図１に示すように、キャビネット(200)の底壁(220)の上面と、図示しないが、上壁(230)の下面とにそれぞれ固定されている。
第２に、ラッチ装置(330)は、例えば図８に示すように、キャビネット(200)の上面と下面とにそれぞれ固定された複数個のフック(310)にそれぞれ対応し、ハウジング(400)の底壁(420)の上面と、上壁(430)の下面とにそれぞれ固定されている。
（請求項７）
請求項７に記載の発明は、上記した請求項６に記載の発明の特徴点に加え、次の点を特徴とする。
【００２３】
すなわち、フック(310)は、図示しないが、キャビネット(200)の固定部材（例えば上壁230）に固定されている。
【発明の効果】
【００２４】
本発明は、以上のように構成されているので、以下に記載されるような効果を奏する。
（請求項１）
請求項１に記載の発明によれば、次のような効果を奏する。
すなわち、請求項１に記載の発明によれば、遊技機を横一列に並べた状態で複数台設置可能な島設備に固定される金属製のキャビネットに対しフックを固定し、これに引っ掛かるラッチ装置を用いて、遊技機の金属製のハウジングをワンタッチで着脱可能に固定することができる。
【００２５】
請求項１に記載の発明のフックは、上記した従来の固定装置のストッパーに比較して、可動要素が必要なく、構造が簡便であるばかりでなく、キャビネットへの取り付けも簡単に且つ迅速に行える利点がある。
また、請求項１に記載の発明のラッチ装置は、フックに掛け金で引っ掛かっているだけなので、フックから掛け金を外すことで、遊技機を簡単に且つ迅速に取り外すことができるという利点がある。
（請求項２）
請求項２に記載の発明によれば、上記した請求項１に記載の発明の効果に加え、次のような効果を奏する。
【００２６】
すなわち、請求項２に記載の発明によれば、ラッチ装置の操作レバーを回転させることで、掛け金をフックに対し、簡単に且つ迅速に着脱することができる。
（請求項３）
請求項３に記載の発明によれば、上記した請求項１に記載の発明の効果に加え、次のような効果を奏する。
【００２７】
すなわち、請求項３に記載の発明によれば、ラッチ装置の掛け金をフックに弾性的に係合させることで、掛け金がフックから不用意に外れるのを未然に防止することができるばかりでなく、キャビネットに対する遊技機のハウジングの取付後のガタ付きを未然に防止することができる。
（請求項４）
請求項４に記載の発明によれば、上記した請求項１〜３のいずれか１項に記載の発明の効果に加え、次のような効果を奏する。
【００２８】
すなわち、請求項４に記載の発明によれば、釘等の止着部材を用いて、金属製のキャビネットを島設備を簡単に、且つ迅速に固定することができる。
（請求項５）
請求項５に記載の発明によれば、上記した請求項４に記載の発明の効果に加え、次のような効果を奏する。
【００２９】
すなわち、請求項５に記載の発明によれば、金属に比較して加工が簡単な木製或いは合成樹脂製の板材から固定部材を形成することができる。
（請求項６）
請求項６に記載の発明によれば、上記した請求項１〜５のいずれか１項に記載の発明の効果に加え、次のような効果を奏する。
【００３０】
すなわち、請求項６に記載の発明によれば、遊技機のハウジングの上下を、キャビネットに固定することで、ハウジングの固定強度を向上することができる。
（請求項７）
請求項７に記載の発明によれば、上記した請求項６に記載の発明の効果に加え、次のような効果を奏する。
【００３１】
すなわち、請求項７に記載の発明によれば、金属製のキャビネットにフックを固定する場合に比較して、固定部材にフックを簡便に固定することができる。
【発明を実施するための最良の形態】
【００３２】
（図面の説明）
図１〜１０は、本発明の実施の形態の一例をそれぞれ示すものである。
図１は、スロットマシンの固定装置の斜視図、図２は遊技装置の動作を説明するためのブロック図、図３はスロットマシンの正面図、図４はスロットマシンの背面図、図５はスロットマシンとキャビネットとの分解斜視図、図６はキャビネットに装着した状態のスロットマシンの斜視図、図７はスロットマシンとキャビネットとの一部を断面にした斜視図、図８はスロットマシンとキャビネットとの一部を断面にした側面図、図９は図１に対応し、ラッチ装置の解錠位置を説明するための固定装置の斜視図、図１０は図１に対応し、ラッチ装置の施錠位置を説明するための固定装置の斜視図をそれぞれ示すものである。
（島設備）
島設備は、図示しないが、ホール内に設置され、遊技機の一例としてのスロットマシン100を横一列に並べた状態で複数台設置可能なものである。
【００３３】
なお、遊技機として、スロットマシン100を例示したが、これに限定されず、図示しないが、いわゆるパチンコ機等でも良い。
島設備には、図５のキャビネット200を複数台、横一列に並べた状態で固定する。
各スロットマシン100は、図１に示すように、固定装置300を介して、各キャビネット200に着脱可能に固定される。
（スロットマシン100）
スロットマシン100は、図５に示すように、大別すると、次のパーツから構成されている。
【００３４】
なお、スロットマシン100のパーツは、次の（１）〜（２）に限定されない。
（１）ハウジング400
ハウジング400は、前面が開放した中空な箱形に形成されている。
（２）前面扉500
前面扉500は、ハウジング400の一側にヒンジ（図示せず）を介して開閉可能に取り付けられ、ハウジング400の開口前面を開閉するためのものである。
（前面扉500）
つぎに、図３を用いて、前面扉500の正面に配置されたパーツについて説明する。
【００３５】
スロットマシン100の高さの中央には、図３に示すように、透明な方形の表示窓110を設けている。
表示窓110の内部には、遊技部の一例としてリールユニット120を配置している。
なお、遊技部は、遊技媒体であるメダルの投入を条件に、遊技を行うためのものである。そして、遊技部として、リールユニット120を例示したが、これに限定されず、図示しないが、パチンコ機の遊技盤に配置した各種の球センサー等から構成しても良い。また、遊技媒体として、メダルを例示したが、これに限定されず、図示しないが、パチンコ機の遊技球や、或いはカードの度数等を用いても良い。
【００３６】
リールユニット120は、表示窓110に臨む複数個、例えば３個の回転リール121〜123と、各回転リール121〜123を個々に回転可能な、複数個、例えば３個の回転リール121〜123と同数の３個のリールモータ124〜126（図２参照）とを備える。
なお、回転リール121〜123及びリールモータ124〜126の個数は、３個に限定されず、２個、或いは４個以上でも良い。
【００３７】
表示窓110の上側には、図３に示すように、上部ランプ130を設けている。上部ランプ130は、図示しないが、例えばＬＥＤ等のランプが複数個、内蔵され、遊技の進行に伴って点灯するものである。演出ランプ420として、ＬＥＤを例示したが、これに限定されず、電球等を用いても良い。
表示窓110の下側には、図３の向かって右側に、メダル投入口140を設けている。メダル投入口140は、メダルを投入するためのものである。
【００３８】
メダル投入口140の図３の向かって左側には、複数個、例えば２個のベットスイッチ150,151を設けている。２個のベットスイッチ150,151のうち、図３の向かって右側のＭＡＸベットスイッチ150は、最大投入枚数、例えば３枚のクレジットメダルをスロットマシン100の内部に投入するためのものである。残る１個のベットスイッチ151は、１枚のクレジットメダルをスロットマシン100の内部に投入するためのものである。
【００３９】
なお、ベットスイッチ150,151の個数は、２個に限定されず、単数としても良いし、３個以上としても良い。
２個のベットスイッチ150,151の下側には、操作手段の一例としてのスタートスイッチ160を設けている。
なお、操作手段は、遊技部の一例であるリールユニット120での遊技を実行するためのものである。また、操作手段として、スタートスイッチ160を例示したが、これに限定されず、図示しないが、パチンコ機の遊技球の発射ハンドルでも良い。
【００４０】
スタートスイッチ160は、所定数の賭数設定を条件に、３個のリールモータ124〜126を駆動することで、３個の回転リール121〜123の回転を開始させるためのものである。
なお、所定数の賭数設定を条件としては、メダル投入口140からのメダルの投入、クレジットを利用してのベットスイッチ150,151の操作による賭数の設定、さらにカードの度数等が考えられるが、これらに限定されるものではない。
【００４１】
具体的には、スタートスイッチ160は、レバー状に形成され、レバーを傾けることで操作する。スタートスイッチ160を操作すると、リールユニット120の駆動が開始され、３個のリールモータ124〜126（図２参照）が回転する。
スタートスイッチ160の向かって右隣には、操作手段の一例として、複数個、例えば３個の回転リール121〜123と同数の３個のストップスイッチ170〜172を設けている。
【００４２】
なお、操作手段として、３個のストップスイッチ170〜172を例示したが、これに限定されない。
３個のストップスイッチ170〜172は、リールユニット120の駆動を停止するためのものである。図３の向かって左側のストップスイッチ170を操作すると、左側の回転リール121の回転が停止する。同様に、中央のストップスイッチ171を操作すると、中央の回転リール122の回転が停止する。右側のストップスイッチ172を操作すると、右側の回転リール123の回転が停止する。
【００４３】
なお、ストップスイッチ170〜172は、３個に限定されず、回転リール121〜123やリールモータ124〜126の個数と等しければ良い。
３個のストップスイッチ170〜172の下側には、メダル貯留皿180を設けている。
メダル貯留皿180には、後述する図２のホッパーユニット610から払い出されたメダルが
貯留される。
【００４４】
メダル貯留皿180の図３の向かって右側には、１個のスピーカ190が配置されている。スピーカ190からは、各種の効果音が発生される。
なお、スピーカ190の個数は、１個に限定されず、複数個設けても良い。
（ハウジング400）
ハウジング400は、図５及び図７に示すように、左右一対の側壁410,411と、左右の側壁410,411の間の下面に固定された底壁420と、左右の側壁410,411の間の上面に固定された上壁430と、背面を塞ぐ後壁440とから形成されている。
【００４５】
なお、ハウジング400の背面を、後壁440により塞いだが、これに限定されず、例えばパチンコ機等の場合には、後壁440を省いて、背面を開放させても良い。
また、ハウジング400は、金属製である。
金属製としたのは、ドリル等を使用して穴が開けられる等の不正を未然に防止するためである。
【００４６】
左右の側壁410,411には、図５及び図７に示すように、左右一対の取っ手部412,413をそれぞれ設けている。左右の取っ手部412,413は、指が差し込めるように、ハウジング400の内部に向かってボックス型に凹んでいる。
底壁420には、図１及び図７に示すように、電源取付凹部421、ラッチ取付凸部422、ホッパー取付凸部423を設けている。
【００４７】
電源取付凹部421は、後述するが、電源ユニット600を取り付けるためのものである。
ラッチ取付凸部422は、図１に示すように、電源取付凹部421より一段高くなり、後述するが、固定装置300のラッチ装置330を取り付けるためのものである。
ホッパー取付凸部423は、図７に示すように、電源取付凹部421より一段高くなり、後述するが、ホッパーユニット610を取り付けるためのものである。
【００４８】
後壁440には、図４及び図７に示すように、電源用穴441、自動補給用穴442、放熱用穴443を設けている。
電源用穴441は、図４及び図７に示すように、後壁440の下側に方形に形成され、電源ユニット600の配線、放熱用のものである。
自動補給用穴442は、図４及び図７に示すように、後壁440の高さの途中に方形に形成され、図示しないが、自動補給を使用する際には、そのアダプタが取り付けられる。
【００４９】
放熱用穴443は、図４及び図７に示すように、後壁440の上側にグリッド状に形成され、放熱用のものである。
（キャビネット200）
キャビネット200は、図５に示すように、スロットマシン100のハウジング400より一回り大きく、前面が開放された中空箱形に形成されている。
【００５０】
キャビネット200は、図５に示すように、左右一対の側壁210,211と、左右の側壁210,211の間の下面に固定された底壁220と、左右の側壁210,211の間の上面に固定された上壁230と、背面を塞ぐ後壁240とから形成されている。
なお、キャビネット200の背面を、後壁240により塞いだが、これに限定されず、後壁240を省いて、背面を開放させても良い。
【００５１】
キャビネット200は、上壁230を除いて、例えば金属製である。
金属製としたのは、ドリル等を使用してスロットマシン100に穴が開けられる等の不正を未然に防止するためである。
上壁230には、例えば釘等の止着部材（図示せず）が貫通可能な固定部材が使用される。
【００５２】
すなわち、上壁230を除く、左右の側壁210,211、底壁220、後壁240から構成される金属製のキャビネット200の上面には、図示しないが、上下方向に開放する開放部を設ける。
上記開放部には、図５に示すように、固定部材から構成される上壁230を固定している。
固定部材は、図示しないが、木製或いは合成樹脂製の板材から形成されている。
【００５３】
なお、止着部材として、釘を例示したが、これに限定されず、図示しないが、木ネジ等のネジを使用しても良い。
底壁220には、図１に示すように、フック取付凸部221を設けている。
フック取付凸部221は、図１に示すように、一段高くなり、後述するが、固定装置300のフック310を取り付けるためのものである。
【００５４】
後壁240には、図７〜８に示すように、電源用穴241、自動補給用穴242、放熱用穴243を設けている。
電源用穴241は、図８に示すように、前述したハウジング400の電源用穴441に対応するものであり、後壁240の下側に方形に形成され、電源ユニット600の配線、放熱用のものである。
【００５５】
自動補給用穴242は、図７〜８に示すように、前述したハウジング400の自動補給用穴442に対応するものであり、後壁240の高さの途中に方形に形成され、図示しないが、自動補給を使用する際には、そのアダプタが取り付けられる。
放熱用穴243は、図７〜８に示すように、前述したハウジング400の放熱用穴443に対応し、後壁240の上側にグリッド状に形成され、放熱用のものである。
（固定装置300）
固定装置300は、図１、図９、図１０に示すように、島設備（図示せず）に固定されたキャビネット200に対し、スロットマシン100のハウジング400を着脱可能に固定するためのものである。
【００５６】
具体的には、固定装置300には、図１に示すように、次の要素を備える。
なお、次の（１）〜（３）の要素の説明については、後述する。
（１）フック310
（２）開口部320
（３）ラッチ装置330
なお、固定装置300の要素は、上記した（１）〜（３）に限定されない。
（フック310）
フック310は、図１に示すように、キャビネット200の内面に固定されるものである。
【００５７】
具体的には、フック310は、図１に示すように、ひらがなの「し」の字形、乃至はアルファベットの大文字の「Ｊ」の字形に板金を折り曲げたものであり、開放面をキャビネット200の後壁240に向けている。
なお、フック310の断面形状は、ひらがなの「し」の字形や、アルファベットの大文字の「Ｊ」の字形に限定されない。
【００５８】
フック310は、キャビネット200の上下に計２個、固定されている。
すなわち、２個のフック310は、図１に示すように、キャビネット200の底壁220の上面と、図示しないが、上壁230の下面とにそれぞれ固定されている。
なお、フック310の個数は、２個に限定されず、１個、或いは３個以上としても良い。
（開口部320）
開口部320は、図１に示すように、ハウジング400に形成され、フック310をハウジング400の内部に露出させるためのものである。
【００５９】
具体的には、開口部320は、図１に示すように、ハウジング400の内外に貫通し、フック310がはまり込む大きさを有し、方形に形成されている。
開口部320は、フック310の固定位置、及び個数に対応し、ハウジング400の上下に計２個、形成されている。
すなわち、２個の開口部320は、図１に示すように、ハウジング400の底壁420と、図５に示すように、上壁430とにそれぞれ形成されている。
（ラッチ装置330）
ラッチ装置330は、図１に示すように、ハウジング400の内部に固定され、開口部320を露出するフック310に引っ掛かる着脱可能な掛け金331を有するものである。
【００６０】
ラッチ装置330は、主要部が金属製である。
ラッチ装置330は、フック310の個数に対応し、ハウジング400の上下に計２個、固定されている。
すなわち、２個のラッチ装置330は、ハウジング400の底壁420に形成されたラッチ取付凸部422の上面と、図示しないが、上壁430の下面とにそれぞれ固定されている。
【００６１】
具体的には、ラッチ装置330には、図１に示すように、次のパーツを備える。
なお、ラッチ装置330のパーツは、次の（１）〜（４）に限定されない。
（１）掛け金331
掛け金331は、図１、図９、図１０に示すように、開放面からフック310の内部にはまり込む、バー状のものである。
【００６２】
（２）台座332
台座332は、図１に示すように、ハウジング400の内部に固定されるものである。
（３）操作レバー333
操作レバー333は、図１に示すように、台座332に一端部が回転可能に回転可能に取り付けられ、長さの途中に掛け金331が連結され、他端部である自由端部を台座332から離れる方向、すなわち上方に回転させた解錠位置（図９参照）において、フック310に対する掛け金331の係脱が可能となり、解錠位置（図１０参照）から自由端部を台座332に接近する方向、すなわち下方に回転させた施錠位置において、フック310に対する掛け金331の係脱が不能可能となるものである。
【００６３】
（４）バネ334
バネ334は、図１に示すように、操作レバー333と掛け金331との間に位置し、掛け金331をフック310に弾性的に係合させるためのものである。
（固定装置300の使用方法）
つぎに、上記構成を備える固定装置300の使用方法について説明する。
【００６４】
まず、図示しないが、キャビネット200を島設備に固定しておく。
つぎに、スロットマシン100は、ホッパーユニット610を取り外した状態で、そのハウジング400を、図５及び図６に示すように、キャビネット200の開放前面からはめ込む。
このとき、キャビネット200の上下のフック310が、スロットマシン100のハウジング400の上下の開口部320を通して、ハウジング400の内部に露出する。
【００６５】
つぎに、図示しないが、スロットマシン100の前面扉500を開放し、ハウジング400の内部の上下のラッチ装置330を操作して、掛け金331をフック310に引っ掛ける。
すなわち、操作レバー333を、図９に示すように、上方に回転させた解錠位置で、掛け金331をフック310の開放面から内部にはめ込む。
つぎに、操作レバー333を、図１０に示すように、下方に回転させる。操作レバー333を下方に回転させた解錠位置においては、掛け金331がフック310に弾性的に係合して、フック310の開放面から外れなくなる。
【００６６】
ラッチ装置330の施錠により、スロットマシン100のハウジング400がキャビネット200に固定される。
その後、ハウジング400内に、ホッパーユニット610を装着し、前面扉500を閉じることで、キャビネット200に対してスロットマシン100が設置される。
なお、実際的には、図２を用いて後述するが、電源ユニット600の配線や、図示しないが、外部端子板等の配線等が行われる。
【００６７】
一方、スロットマシン100を取り外す際には、上記取付手順と逆の手順を行えば良い。
すなわち、図示しないが、スロットマシン100の前面扉500を開放し、ホッパーユニット610を取り外す。
つぎに、ハウジング400の内部の上下のラッチ装置330を操作して解錠し、掛け金331をフック310から取り外す。
【００６８】
その後、キャビネット200からスロットマシン100を引き出すことで、スロットマシン100を取り外すことができる。
上述したように、スロットマシン100を取り外す際には、施錠された前面扉500の開放が必要となり、さらに、下側のラッチ装置330がホッパーユニット610の奥側に位置していることから、メダルが貯蓄された非常に重いホッパーユニット610の取り外しが必要となるため、スロットマシン100がキャビネット200から不用意に取り外されることがない。
（遊技制御装置700）
つぎに、図２を用いて、遊技制御装置700について説明する。
【００６９】
遊技制御装置700は、スロットマシン100の内部に設けられ、遊技の進行を制御するためのものである。
具体的には、遊技制御装置700は、コンピュータであって、図示しないが、例えばＣＰＵを中心に構成され、ＲＯＭやＲＡＭ等の記録媒体、Ｉ／Ｏ等を備えている。
また、記録媒体は、ＲＯＭやＲＡＭに限定されず、そのほか電気的・磁気的・光学的なメモリーやディスク等でも良い。
【００７０】
遊技制御装置700のＣＰＵ（図示せず）は、記録媒体、例えばＲＯＭに記録されたプログラムを読み込むことで、図２に示すように、次の手段として機能する。
なお、次の（１）〜（６）の手段の説明については、後述する。
（１）役抽選手段710
（２）リール停止制御手段720
（３）一般遊技制御手段730
（４）特別遊技制御手段740
（５）利益付与手段750
（６）演出制御手段760
なお、遊技制御装置700の手段は、上記した（１）〜（６）に限定されない。
（遊技制御装置700の入力段）
つぎに、図２を用いて、遊技制御装置700の入力段について説明する。
【００７１】
遊技制御装置700の入力段には、図２に示すように、次のパーツがそれぞれ接続されている。
なお、遊技制御装置700の入力段に接続されるパーツは、次の（１）〜（５）に限定されない。
（１）メダルセンサー141
メダルセンサー141は、メダル投入口140の内部に設けられ、メダル投入口140に投入されたメダルを検出するためのものである。
【００７２】
（２）ベットスイッチ150,151
（３）スタートスイッチ160
（４）ストップスイッチ170〜172
（５）電源ユニット600
電源ユニット600は、遊技制御装置700に電源を供給するためのものである。なお、電源ユニット600からの電源は、後述するが、遊技制御装置700の出力段に接続されるリールモータ124〜126、ホッパーユニット610、上部ランプ130、スピーカ190にも供給される。
（遊技制御装置700の出力段）
つぎに、図２を用いて、遊技制御装置700の出力段について説明する。
【００７３】
遊技制御装置700の出力段には、次のパーツがそれぞれ接続されている。
なお、遊技制御装置700の出力段に接続されるパーツは、次の（１）〜（４）に限定されない。
（１）リールモータ124〜126
（２）ホッパーユニット610
（３）上部ランプ130
（４）スピーカ190
（役抽選手段710）
役抽選手段710は、役の当否を抽選により決定するものである。
【００７４】
まず、役の当否には、次の種類がある。
（１）役の当選
（２）ハズレ
なお、次の（３）〜（５）の役の説明については、後述する。
また、役は、役のうち１個だけ当選する場合のほか、複数の役が同時に２以上、当選する場合もあり、役抽選手段710はいわゆるグループ抽選が可能となっている。
【００７５】
（３）小役
（４）再遊技（リプレイ）
（５）特別遊技（ボーナス）
なお、役の種類は、上記した（３）〜（５）に限定されない。
（小役）
小役は、図示しないが、例えば「ベル」や「スイカ」などの予め設定された小役図柄が、メダルを投入することで有効となったライン（以下、「有効ライン」という。）上に１個や２個出現したり、或いは３個揃うことで入賞となり、所定枚数のメダルを払い出すための役である。
（再遊技）
再遊技は、いわゆるリプレイとも呼ばれ、予め設定された再遊技図柄（リプレイ図柄）が有効ライン上に３個揃うことを条件に、メダルを投入すること無しに次回の遊技を行えるという役である。
（ボーナス）
ボーナスは、特別遊技の一例である。
【００７６】
特別遊技は、一般遊技より遊技者に有利な遊技である。
なお、特別遊技として、ボーナスを例示したが、これに限定されない。
ボーナスは、次の種類がある。
なお、ボーナスの種類は、次の（１）〜（３）に限定されない。
（１）ＢＩＧ大当り
ＢＩＧ大当りは、いわゆるビッグ・ボーナス（以下、「ＢＢ」という。）への移行役である。
【００７７】
すなわち、図示しないが、ＢＢ図柄が有効ライン上に３個揃うことで入賞となり、後述する図１の一般遊技制御手段730による一般遊技から、後述する一般遊技制御手段730による特別遊技であるＢＢへ移行させるための役である。
なお、ＢＢ図柄の入賞時に、メダルを払い出さなくとも良いし、或いはメダルを１枚払い出すようにしても良い。
【００７８】
ＢＢの開始後、遊技者がメダルを３枚投入すると仮定すると、トータルで約２８８枚のメダルが獲得可能であり、例えば３４５枚を超える払い出しで終了する。
（２）ＭＩＤ大当り
ＭＩＤ大当りは、いわゆるミドル・ボーナス（以下、「ＭＩＤ」という。）への移行役である。
【００７９】
図示しないが、ＭＩＤ図柄が有効ライン上に３個揃うことで入賞となり、後述する図１の一般遊技制御手段730による一般遊技から、後述する一般遊技制御手段730による特別遊技であるＭＩＤへ移行させるための役である。
なお、ＭＩＤ図柄の入賞時に、メダルを払い出さなくとも良いし、或いはメダルを１枚払い出すようにしても良い。
【００８０】
ＭＩＤの開始後、遊技者がメダルを３枚投入すると仮定すると、トータルで約１９２枚のメダルが獲得可能であり、例えば２５３枚を超える払い出しで終了する。なお、ＭＩＤは、ＢＢに比較して、遊技者が獲得できるメダルの枚数が低く設定されている。
（３）ＲＥＧ大当り
ＲＥＧ大当りは、いわゆるレギュラー・ボーナス（以下、「ＲＥＧ」という。）への移行役である。
【００８１】
ＲＥＧの開始後、遊技者がメダルを３枚投入すると仮定すると、トータルで約９６枚のメダルが獲得可能である。ＲＥＧは、最高１２回のゲームか、８回の入賞か、いずれか先に達成された条件により終了する。なお、ＲＥＧは、ＭＩＤに比較して、遊技者が獲得できるメダルの枚数が低く設定されている。
（リール停止制御手段720）
リール停止制御手段720は、役抽選手段710による抽選により決定した遊技結果、及びストップスイッチ170〜172の操作にもとづいて、当該ストップスイッチ170〜172に対応するリールモータ124〜126の停止制御を行うためのものである。
（一般遊技制御手段730）
一般遊技制御手段730は、一般遊技を行わせるためのものである。
（特別遊技制御手段740）
特別遊技制御手段740は、一般遊技より遊技者に有利な特別遊技、例えば各種のボーナスを行わせるためのものである。
（利益付与手段750）
利益付与手段750は、小役等が入賞した場合に、利益を付与するためのものである。
【００８２】
具体的には、利益として、ホッパーユニット610を駆動して、予め設定された所定の枚数のメダルを払い出したり、或いはクレジットメダルのクレジット枚数（貯留枚数）を加算する。
（演出制御手段760）
演出制御手段760は、役抽選手段710の抽選結果にもとづいて、演出を制御するためのものである。
【００８３】
具体的には、演出制御手段760には、図２に示すように、次の手段を備える。
なお、演出制御手段760の手段は、次の（１）〜（２）に限定されない。
（１）ランプ制御手段770
ランプ制御手段770は、遊技の進行に応じて、上部ランプ130の点灯状態を制御するためのものである。
【００８４】
（２）効果音発生手段780
効果音発生手段780は、遊技の進行に応じて、各種の効果音をスピーカ190から出力させるためのものである。
（他のバリエーション）
ハウジング400の下側の開口部320には、図示しないが、ハウジング400をキャビネット200から水平に引き出そうとしたときに、下側のフック310の折り曲げ部分に引っ掛かる、折れ曲がった引掛部を形成しておいても良い。
【００８５】
ハウジング400側に引掛部を形成しておくと、ハウジング400をキャビネット200から水平に引き出そうとしたときに、下側のフック310の折り曲げ部分に引っ掛かって、ハウジング400がキャビネット200から容易に取り外せなくなる。
この場合、下側のラッチ装置330の施錠してフック310から外した状態で、キャビネット200を若干上方に持ち上げた状態で手前側に引くことで、ハウジング400側の引掛部が、下側のフック310の折り曲げ部分に引っ掛かることなく、ハウジング400をキャビネット200から外せるようになり、不用意にスロットマシン100が取り外されることがない。
【００８６】
一方、遊技機として、スロットマシン100を例示したが、これに限定されず、遊技機の固定装置300は、図示しないが、パチンコ機、じゃん球、アレンジボール等の弾球遊技機にも適用可能である。
【図面の簡単な説明】
【００８７】
【図１】スロットマシンの固定装置の斜視図である。
【図２】遊技装置の動作を説明するためのブロック図である。
【図３】スロットマシンの正面図である。
【図４】スロットマシンの背面図である。
【図５】スロットマシンとキャビネットとの分解斜視図である。
【図６】キャビネットに装着した状態のスロットマシンの斜視図である。
【図７】スロットマシンとキャビネットとの一部を断面にした斜視図である。
【図８】スロットマシンとキャビネットとの一部を断面にした側面図である。
【図９】図１に対応し、ラッチ装置の解錠位置を説明するための固定装置の斜視図である。
【図１０】図１に対応し、ラッチ装置の施錠位置を説明するための固定装置の斜視図である。
【符号の説明】
【００８８】
100  スロットマシン（遊技機）
110  表示窓                         120  リールユニット（遊技部）
121〜123  回転リール                124〜126  リールモータ
130  上部ランプ
140  メダル投入口                   141  メダルセンサー
150,151  ベットスイッチ
160  スタートスイッチ（操作手段）   170〜172  ストップスイッチ（操作手段）
180  メダル貯留皿                   190  スピーカ
200  キャビネット
210,211  左右の側壁                 212,213  取っ手穴
220  底壁                           221  フック取付凸部
230  上壁（固定部材）
240  後壁
241  電源用穴                       242  自動補給用穴
243  放熱用穴
300  固定装置
310  フック                         320  開口部
330  ラッチ装置
331  掛け金                         332  台座
333  操作レバー                     334  バネ
400  ハウジング
410,411  左右の側壁
420  底壁
421  電源取付凹部                   422  ラッチ取付凸部
423  ホッパー取付凸部
430  上壁
440  後壁
441  電源用穴                       442  自動補給用穴
443  放熱用穴
500  前面扉
600  電源ユニット                   610  ホッパーユニット
700  遊技制御装置
710  役抽選手段                     720  リール停止制御手段
730  一般遊技制御手段               740  特別遊技制御手段
750  利益付与手段                   760  演出制御手段
770  ランプ制御手段                 780  効果音発生手段                                                                             
【図１】
2008237385.tif 000003
【図２】
2008237385.tif 000004
【図３】
2008237385.tif 000005
【図４】
2008237385.tif 000006
【図５】
2008237385.tif 000007
【図６】
2008237385.tif 000008
【図７】
2008237385.tif 000009
【図８】
2008237385.tif 000010
【図９】
2008237385.tif 000011
【図１０】
2008237385.tif 000012